(57)【要約】【課題】システム利用者が、自身に必要な情報を監視制御システムから容易に得ることができるようにする。【解決手段】役割対応情報記憶部１０２は、製造対象の製造物の製造に関わる対象の名称を示す製造関連名称、および製造に関わる対象に関する製造関連情報を、各々役割に関連付けて記憶している。例えば、製造関連名称として「製品Ａ」，「中間生成物」，「製造工程」，「反応槽０１」，「反応槽０２」が設定されている。また、これら製造対象の製造物の製造に関わる対象に関する情報（属性）として、製造量，反応時間，温度，ｐＨ，出口流量などの目標値・状態値があり、また、工程，使用反応槽，稼動時間，品質状態などがある。これらの各情報が、「製品Ａ製造」，「保全管理」，「品質管理」などの役割に関連付けられている。【選択図】  図１
2015141436.tif 000002
【特許請求の範囲】
【請求項１】
ユーザを識別するユーザ情報が前記ユーザに対応する役割とともに記憶されたユーザ情報記憶部と、
製造対象の製造物の製造に関わる対象の名称を示す製造関連名称および前記製造に関わる対象に関する製造関連情報が、各々役割に関連付けられて記憶された役割対応情報記憶部と、
入力されたユーザ情報に対応する役割を前記ユーザ情報記憶部より取り出し、取り出した前記役割に対応する製造関連名称および対応する製造関連情報を、前記役割対応情報記憶部より取り出す製造関連情報取得手段と、
前記製造関連情報取得手段が取り出した前記製造関連情報を、前記製造関連情報取得手段が取り出した前記製造関連名称とともに表示部に表示する表示制御手段と
を備えることを特徴とする監視制御システム。
【請求項２】
請求項１記載の監視制御システムにおいて、
前記役割対応情報記憶部には、前記製造物の製造に関わる対象に関する管理および監視の目的を識別する管理・監視目的が、前記製造関連情報として各々役割に関連付けられて記憶され、
加えて、
前記製造物の製造に関する前記管理・監視目的の属性が前記製造関連名称に関連付けられて記憶された管理・監視目的属性記憶部を備え、
前記製造関連情報取得手段は、取り出した前記役割に対応する製造関連名称および管理・監視目的の属性を前記役割対応情報記憶部より取り出し、
前記表示制御手段は、前記製造関連情報取得手段が取り出した前記管理・監視目的の属性を、前記製造関連情報取得手段が取り出した前記製造関連名称とともに前記表示部に表示する
ことを特徴とする監視制御システム。
【請求項３】
請求項２記載の監視制御システムにおいて、
前記管理・監視目的の属性を表示するための製造関連対応表示定義が、前記管理・監視目的に関連付けられて記憶された製造関連対応表示定義記憶部を備え、
前記表示制御手段は、前記製造関連対応表示定義記憶部に記憶されている前記管理・監視目的に対応する製造関連対応表示定義により、前記管理・監視目的の属性を、前記製造関連名称とともに前記表示部に表示する
ことを特徴とする監視制御システム。
【請求項４】
請求項２または３記載の監視制御システムにおいて、
前記役割に関連付けられた、前記管理・監視目的の属性を表示するための役割対応表示定義が記憶された役割対応表示定義記憶部を備え、
前記表示制御手段は、役割対応表示定義記憶部に記憶されている前記役割に対応する役割対応表示定義により、前記管理・監視目的の属性を、前記製造関連名称とともに前記表示部に表示する
ことを特徴とする監視制御システム。
【請求項５】
請求項１〜４のいずれか１項に記載の監視制御システムにおいて、
前記製造関連情報に対するアクセス権限が、前記役割に関連付けられて記憶された権限情報記憶部と、
入力されたユーザ情報に対応する役割に関連付けられた、前記権限情報記憶部に記憶されているアクセス権限に基づき、前記表示制御手段の制御により前記表示部に表示された情報へのアクセスの有効および無効を制御するアクセス制御手段と
を備え、
前記表示制御手段は、前記アクセス制御手段による有効および無効の制御に対応して前記表示部に表示する情報に関わるシンボルを変更する
ことを特徴とする監視制御システム。
【請求項６】
請求項１〜５のいずれか１項に記載の監視制御システムにおいて、
前記管理・監視目的は、前記製造物の製造状態、前記製造物の品質、前記製造物を製造する製造装置の運転状態、前記製造装置の保守状態のうち、少なくとも１つであることを特徴とする監視制御システム。
【発明の詳細な説明】
【技術分野】
【０００１】
本発明は、プラントにおける製造物の監視制御を行う監視制御システムに関する。
【背景技術】
【０００２】
例えば、プラントなどの制御には制御システムが用いられ、さらに機器管理装置が用いられている。このような監視制御システムにおいては、ネットワークにより接続している現場に設置されたプロセス機器や各種センサなどのフィールド機器との間で信号をやりとりし、フィールド機器の動作を制御し、製造・生産を管理し、また、製造パラメータ設定などを行っている。
【０００３】
このような監視制御システムには、制御および監視の対象が多数にわたり、これらを表す情報も、生産に関わる運転，生産管理，品質管理，製造方法など多種多様にわたっている。また、生産の効率化および様々な安全性確保の観点より、各情報および当該情報の表示形態に対する利用・参照権限の設定が重要となる。
【０００４】
例えば、監視対象毎に、情報を分類し、かつ分類された情報毎に画面を持たせるシステムがある（特許文献１参照）。このシステムでは、システム構築者は、監視対象物の、分類された情報を生成し、システムやアプリケーションを構築する。システム利用者は、構築されたシステムやアプリケーションを利用する。
【先行技術文献】
【特許文献】
【０００５】
【特許文献１】特許第３０４８１４７号公報
【発明の概要】
【発明が解決しようとする課題】
【０００６】
しかしながら、近年の複雑なプロセスの制御などでは、多くの制御監視対象があり、加えて制御監視対象に関する情報が多数あるため、膨大な表示対象が存在することになる。例えば、１つのプロセスをとっても、製造に必要な情報および製造装置の管理に必要な情報など多数の情報がある。このため、多くの制御監視対象がある場合、表示対象は膨大な数となる。このため、監視制御システムの１つのモニター画面で、全ての情報を一度に表示することは不可能である。従って、例えば、制御監視対象毎に、また、情報毎に、モニター画面を切り替えて、表示を行うことになる。
【０００７】
このような状態では、システム利用者が、自身に必要な情報を得るために多くの手数をかけることになる。また、プロセス（製造）に関して全てを把握していないと、必要な情報を得る（閲覧する）ことができない場合が発生する。このように、従来では、システム利用者が、自身に必要な情報を監視制御システムより得ることが容易ではないという問題があった。
【０００８】
本発明は、以上のような問題点を解消するためになされたものであり、システム利用者が、自身に必要な情報を監視制御システムから容易に得ることができるようにすることを目的とする。
【課題を解決するための手段】
【０００９】
本発明に係る監視制御システムは、ユーザを識別するユーザ情報がユーザに対応する役割とともに記憶されたユーザ情報記憶部と、製造対象の製造物の製造に関わる対象の名称を示す製造関連名称および製造に関わる対象に関する製造関連情報が、各々役割に関連付けられて記憶された役割対応情報記憶部と、入力されたユーザ情報に対応する役割をユーザ情報記憶部より取り出し、取り出した役割に対応する製造関連名称および対応する製造関連情報を、役割対応情報記憶部より取り出す製造関連情報取得手段と、製造関連情報取得手段が取り出した製造関連情報を、製造関連情報取得手段が取り出した製造関連名称とともに表示部に表示する表示制御手段とを備える。
【００１０】
上記監視制御システムにおいて、役割対応情報記憶部には、製造物の製造に関わる対象に関する管理および監視の目的を識別する管理・監視目的が、製造関連情報として各々役割に関連付けられて記憶され、加えて、製造物の製造に関する管理・監視目的の属性が製造関連名称に関連付けられて記憶された管理・監視目的属性記憶部を備え、製造関連情報取得手段は、取り出した役割に対応する製造関連名称および管理・監視目的の属性を役割対応情報記憶部より取り出し、表示制御手段は、製造関連情報取得手段が取り出した管理・監視目的の属性を、製造関連情報取得手段が取り出した製造関連名称とともに表示部に表示するようにしてもよい。
【００１１】
上記監視制御システムにおいて、管理・監視目的の属性を表示するための製造関連対応表示定義が、管理・監視目的に関連付けられて記憶された製造関連対応表示定義記憶部を備え、表示制御手段は、製造関連対応表示定義記憶部に記憶されている管理・監視目的に対応する製造関連対応表示定義により、管理・監視目的の属性を、製造関連名称とともに表示部に表示するようにしてもよい。
【００１２】
上記監視制御システムにおいて、役割に関連付けられた、管理・監視目的の属性を表示するための役割対応表示定義が記憶された役割対応表示定義記憶部を備え、表示制御手段は、役割対応表示定義記憶部に記憶されている役割に対応する役割対応表示定義により、管理・監視目的の属性を、製造関連名称とともに表示部に表示するようにしてもよい。
【００１３】
上記監視制御システムにおいて、製造関連情報に対するアクセス権限が、役割に関連付けられて記憶された権限情報記憶部と、入力されたユーザ情報に対応する役割に関連付けられた、権限情報記憶部に記憶されているアクセス権限に基づき、表示制御手段の制御により表示部に表示された情報へのアクセスの有効および無効を制御するアクセス制御手段とを備え、表示制御手段は、アクセス制御手段による有効および無効の制御に対応して表示部に表示する情報に関わるシンボルを変更するようにしてもよい。
【００１４】
上記監視制御システムにおいて、管理・監視目的は、製造物の製造状態、製造物の品質、製造物を製造する製造装置の運転状態、製造装置の保守状態のうち、少なくとも１つであるようにしてもよい。
【発明の効果】
【００１５】
以上説明したことにより、本発明によれば、システム利用者が、自身に必要な情報を監視制御システムから容易に得ることができるようになるという優れた効果が得られる。
【図面の簡単な説明】
【００１６】
【図１】図１は、本発明の実施の形態１における監視制御システムの構成を示す構成図である。
【図２】図２は、ユーザ情報記憶部１０１の構成例を示す構成図である。
【図３】図３は、役割対応情報記憶部１０２の構成例を示す構成図である。
【図４】図４は、本発明の実施の形態２における監視制御システムの構成を示す構成図である。
【図５】図５は、役割対応情報記憶部２０２の構成例を示す構成図である。
【図６】図６は、管理・監視目的属性記憶部２０３の構成例を示す構成図である。
【図７】図７は、製造関連対応表示定義記憶部２０４の構成例を示す構成図である。
【図８】図８は、本発明の実施の形態３における監視制御システムの構成を示す構成図である。
【図９】図９は、役割対応情報記憶部３０２の構成例を示す構成図である。
【図１０】図１０は、実施の形態３の表示部２０７における表示例を示す説明図である。
【図１１】図１１は、本発明の実施の形態４における監視制御システムの構成を示す構成図である。
【図１２】図１２は、権限情報記憶部４０２の構成例を示す構成図である。
【図１３】図１３は、実施の形態４の表示部１０５における表示例を示す説明図である。
【発明を実施するための形態】
【００１７】
以下、本発明の実施の形態について図を参照して説明する。
【００１８】
［実施の形態１］
はじめに、本発明の実施の形態１について、図１を用いて説明する。図１は、本発明の実施の形態１における監視制御システムの構成を示す構成図である。この監視制御システムは、ユーザ情報記憶部１０１，役割対応情報記憶部１０２，製造関連情報取得部１０３，表示制御部１０４，表示部１０５，および入力部１０６を備える。
【００１９】
ユーザ情報記憶部１０１は、ユーザ（システム利用者）を識別するユーザ情報を、ユーザに対応する役割とともに記憶している。例えば、図２に示すように、Ａ氏（ユーザ情報）に対し、役割として「製品Ａ製造」が関連付けられている。また、Ｂ氏に対し、役割として「保全管理」が関連付けられている。また、Ｃ氏に対し、役割として「品質管理」が関連付けられている。
【００２０】
役割対応情報記憶部１０２は、製造対象の製造物の製造に関わる対象の名称を示す製造関連名称、および製造に関わる対象に関する製造関連情報を、各々役割に関連付けて記憶している。
【００２１】
例えば、図３に示すように、製造関連名称（参照対象）として「製品Ａ」，「中間生成物」，「製造工程」，「反応槽０１」，「反応槽０２」などが設定されている。また、これら製造対象の製造物の製造に関わる対象に関する情報（属性）として、製造量，反応時間，温度，ｐＨ，出口流量などの目標値・状態値があり、また、工程，使用反応槽，稼動時間，品質状態などがある。これらの各情報が、「製品Ａ製造」，「保全管理」，「品質管理」などの役割に関連付けられている。また、例えば、各属性が得られる入力元などの情報も設定されている。
【００２２】
製造関連情報取得部１０３は、まず、入力されたユーザ情報に対応する役割をユーザ情報記憶部１０１より取り出す。また、取り出した役割に対応する製造関連名称および対応する製造関連情報を、役割対応情報記憶部１０２より取り出す。
【００２３】
表示制御部１０４は、製造関連情報取得部１０３が取り出した上述したような情報を、製造関連情報取得部１０３が取り出した製造関連名称とともに表示部１０５に表示する。
【００２４】
例えば、この監視制御システムに、ユーザであるＡ氏のログイン操作によりＡ氏のＩＤおよびパスワードが入力され、これら入力値が図示しない制御部の認証動作により認証されると、製造関連情報取得部１０３が上述した動作を行う。この結果、表示部１０５に、Ａ氏に関連付けられた役割に関連付けられている「製品Ａ製造」における、製造対象の製造物の製造に関わる対象となる「中間生成物」の属性などの情報が表示される。この場合、例えば、「保全管理」や「品質管理」に関連する情報については、表示対象外となる。
【００２５】
以上に説明したように、実施の形態１では、ユーザを識別するユーザ情報に役割を関連付け、製造対象の製造物の製造に関わる対象の名称を示す製造関連名称、および製造に関わる対象に関する製造関連情報を、各々役割に関連付けるようにしたところに特徴がある。これにより、ユーザ情報が入力されれば、入力されたユーザ情報に設定されている役割に対応し、製造関連名称や対応する製造関連情報を選別して表示できるようになる。この結果、システム利用者は、自身に必要な情報を監視制御システムから容易に得ることができるようになる。
【００２６】
例えば、化学プラントでは、複数の反応を経由して最終製品が完成する場合が多い。このため、工程の進捗によって監視対象となる反応槽などの製造装置が変化する。例えば、前日までは一次反応用の反応槽を用い、工程が進捗した次の日には、二次反応用の反応槽を用いることになる。実施の形態１によれば、上述したような工程の進捗状態が役割対応情報記憶部に反映されれば、製造関連名称が関連付けられている役割が対応付けられているユーザ情報で識別されるシステム利用者に対しては、現在の状況を反映した製造関連名称および対応する製造関連情報が、自動的に提示されるようになる。よってシステム利用者は、その時に使用している製造装置の如何に関わらず、現に製造している製造物に係る情報に注意を向けることができる。
【００２７】
また、化学プラントでは、複数の反応層を備え、同じ製品の製造であっても、製造日時によって、生成像に用いる反応槽が異なる場合がある。例えば、前日まで用いていた反応槽が故障した場合、次の日には、他の反応槽を用いることになる。実施の形態１によれば、上述したような変更が役割対応情報記憶部に反映されれば、製造関連名称が関連付けられている役割が対応付けられているユーザ情報で識別されるシステム利用者に対しては、変更された製造関連名称および対応する製造関連情報が、自動的に提示されるようになる。よってシステム利用者は、その時に使用している製造装置の如何に関わらず、現に製造している製造物に係る情報に注意を向けることができる。
【００２８】
［実施の形態２］
次に、本発明の実施の形態２について、図４を用いて説明する。図４は、本発明の実施の形態２における監視制御システムの構成を示す構成図である。この監視制御システムは、ユーザ情報記憶部１０１，役割対応情報記憶部２０２，管理・監視対象属性記憶部２０３，製造関連対応表示定義記憶部２０４，製造関連情報取得部２０５，表示制御部２０６，表示部２０７，および入力部２０８を備える。
【００２９】
ユーザ情報記憶部１０１は、前述した実施の形態１と同様であり、ユーザを識別するユーザ情報を、ユーザに対応する役割とともに記憶している。
【００３０】
役割対応情報記憶部２０２は、製造対象の製造物の製造に関わる対象の名称を示す製造関連名称、および製造に関わる対象に関する製造関連情報を、各々役割に関連付けて記憶している。実施の形態２では、役割対応情報記憶部２０２に、製造物の製造に関わる対象に関する管理および監視の目的を識別する管理・監視の目的が、製造関連情報として各々役割に関連付けられて記憶されている。
【００３１】
例えば、図５に示すように、製造関連名称（参照対象）である「製品Ａ」，「中間生成物」，「製造工程」，「反応槽０１」，「反応槽０２」、およびこれらに関する製造関連情報として、「製造」，「品質」，「機器運転」，「保守」などの管理・監視の目的が、参照分類として各々役割に関連付けられて記憶されている。また、図５に示す例では、「警報確認」などの役割の中で共有すべき情報も、各々役割に関連付けられて記憶されている。また、役割としては、「製品Ａ製造」，「保全管理」，「品質管理」が設定されている。
【００３２】
管理・監視目的属性記憶部２０３は、製造物の製造に関する管理・監視目的の属性を、製造関連名称に関連付けて記憶している。
【００３３】
例えば、図６に示すように、「製品Ａ」の管理・監視目的（分類）となる「製造」および「品質」に、「製造量」および「品質状態」などの属性が、関連付けられて記憶されている。また、「中間生成物」の管理・監視目的となる「製造」には、「反応時間」および「製造量」などの属性が、関連付けられて記憶されている。また、「中間生成物」の管理・監視目的となる「品質」には、「温度」，「ｐＨ」，「品質状態」などの属性が、関連付けられて記憶されている。また、「製造工程」の管理・監視目的となる「製造」に、「工程」および「使用反応槽」などの属性が、関連付けられて記憶されている。
【００３４】
また、「反応槽０１」，「反応槽０２」の管理・監視目的となる「機器運転」には、「温度」，「ｐＨ」，「反応時間」，「出口流量」などの属性が、関連付けられて記憶されている。また、「反応槽０１」，「反応槽０２」の管理・監視目的となる「保守」には、「稼動時間」などの属性が、関連付けられて記憶されている。また、例えば、各属性が得られる入力元などの情報も設定されている。
【００３５】
製造関連対応表示定義記憶部２０４は、管理・監視目的の属性を表示するための製造関連対応表示定義を、管理・監視目的に関連付けて記憶している。
【００３６】
例えば、図７に示すように、対象に示されている「中間生成物」の管理・監視目的（参照分類）となる「製造」について、「製造画面」が、製造関連対応表示定義（画面定義）として関連付けられて記憶されている。また、「中間生成物」の管理・監視目的となる「品質」については、「品質画面」が、製造関連対応表示定義として関連付けられて記憶されている。また、「製造工程」の管理・監視目的となる「製造」については、「工程画面」が、定義情報として関連付けられて記憶されている。また、「反応槽０１」の管理・監視目的となる「製造」については、「反応槽製造画面」が、定義情報として関連付けられて記憶されている。また、「反応槽０１」の管理・監視目的となる「品質」については、「反応槽品質画面」が、定義情報として関連付けられて記憶されている。
【００３７】
製造関連情報取得部２０５は、まず、ユーザの操作により入力部２０８に入力されたユーザ情報に対応する役割を、ユーザ情報記憶部１０１より取り出す。また、製造関連情報取得部２０５は、取り出した役割に対応する製造関連名称、および対応する管理・監視目的を役割対応情報記憶部２０２より取り出す。
【００３８】
表示制御部２０６は、製造関連情報取得部２０５が取り出した上述したような情報（管理・監視目的の属性）を、製造関連情報取得部２０５が取り出した製造関連名称とともに表示部２０７に表示する。また、表示制御部２０６は、製造関連対応表示定義記憶部２０４に記憶されている、管理・監視目的に対応する製造関連対応表示定義により、管理・監視目的の属性を、製造関連名称とともに表示部２０７に表示する。製造関連対応表示定義は、前述したように、製造関連対応表示定義記憶部２０４に記憶されている。
【００３９】
例えば、この監視制御システムに、ユーザであるＡ氏のログイン操作によりＡ氏のＩＤおよびパスワードが入力され、これら入力値が図示しない制御部の認証動作により認証されると、製造関連情報取得部２０５が上述した動作を行う。この結果、表示部２０７に、Ａ氏に関連付けられた役割に関連付けられている「製品Ａ製造」における、対象となる「中間生成物」の「製造」に関する属性などの情報が表示される。
【００４０】
また、これらの情報は、製造関連対応表示定義記憶部２０４に記憶されている「製造画面」の定義に則って表示される。なお、役割および役割に関連付けられている「品質」などの参照分類毎に、表示するための画面定義が設定されていてもよい。例えば、「反応槽０１」の「品質」に関しては、専用の画面定義が設定されていてもよい。この場合、製造関連対応表示定義記憶部２０４を参照することなく、画面の表示がなされる。
【００４１】
以上に説明したように、実施の形態２においても、ユーザ情報が入力されれば、入力されたユーザ情報に設定されている役割に対応し、製造関連名称や対応する製造関連情報を選別して表示できるようになる。この結果、システム利用者は、自身に必要な情報を監視制御システムから容易に得ることができるようになる。
【００４２】
［実施の形態３］
次に、本発明の実施の形態３について、図８を用いて説明する。図８は、本発明の実施の形態３における監視制御システムの構成を示す構成図である。この監視制御システムは、ユーザ情報記憶部１０１，役割対応情報記憶部３０２，管理・監視目的属性記憶部２０３，製造関連対応表示定義記憶部２０４，製造関連情報取得部２０５，表示制御部３０６，表示部２０７，および入力部２０８を備える。また、役割対応情報記憶部３０２は、役割対応表示定義３０４を備える。
【００４３】
なお、ユーザ情報記憶部１０１，管理・監視目的属性記憶部２０３，製造関連対応表示定義記憶部２０４，製造関連情報取得部２０５，表示部２０７，および入力部２０８は、前述した実施の形態２と同様であり、以下では説明を省略する。
【００４４】
役割対応情報記憶部３０２は、製造対象の製造物の製造に関わる対象の名称を示す製造関連名称、および製造に関わる対象に関する製造関連情報を、各々役割に関連付けて記憶している。例えば、役割対応情報記憶部３０２には、製造物の製造に関わる対象に関する管理および監視の対象を識別する管理・監視目的が、製造関連情報として各々役割に関連付けられて記憶されている。また、役割対応情報記憶部３０２が備える役割対応表示定義３０４は、上述した役割に関連付けられた管理・監視目的の属性を表示するための定義である。
【００４５】
例えば、図９に示すように、製造関連名称である「製品Ａ」，「中間生成物」，「製造工程」，「反応槽０１」，「反応槽０２」、およびこれらに関する情報として、「製造」，「品質」，「機器運転」，「保守」などの管理・監視目的（参照分類）が、各々役割に関連付けられて記憶されている。また、図９に示す例では、「警報確認」などの共有すべき情報も、各々役割に関連付けられて記憶されている。また、役割としては、「製品Ａ製造」，「保全管理」，「品質管理」が設定されている。加えて、各役割に、表示定義（役割対応表示定義３０４）が関連付けられている。例えば、役割「製品Ａ製造」には、表示定義「製品画面表示定義」が関連付けられている。
【００４６】
表示制御部３０６は、製造関連情報取得部２０５が取り出した上述したような情報（管理・監視目的の属性）を、製造関連情報取得部２０５が取り出した製造関連名称とともに表示部２０７に表示する。また、表示制御部３０６は、役割対応情報記憶部３０２に記憶されている役割に対応する役割対応表示定義３０４により、管理・監視目的の属性を、製造関連名称とともに表示部２０７に表示する。
【００４７】
例えば、この監視制御システムに、ユーザであるＡ氏のログイン操作によりＡ氏のＩＤおよびパスワードが入力され、これら入力値が図示しない制御部の認証動作により認証されると、製造関連情報取得部２０５が上述した動作を行う。この結果、表示部２０７に、Ａ氏に関連付けられた役割に関連付けられている「製品Ａ製造」における、対象となる「中間生成物」の「製造」に関する属性などの情報が表示される。また、これらの情報は、役割対応情報記憶部３０２に記憶されている、役割に対応する役割対応表示定義３０４の「製造関連対応表示定義」に則って表示される。
【００４８】
以上に説明したように、実施の形態３においても、ユーザ情報が入力されれば、入力されたユーザ情報に設定されている役割に対応し、製造関連名称や対応する情報を選別して表示できるようになる。この結果、システム利用者は、自身に必要な情報を監視制御システムから容易に得ることができるようになる。
【００４９】
また、上述した実施の形態３の監視制御システムによれば、図１０に示すような各情報が表示される。例えば、役割が「製品Ａ製造」の場合の「中間生成物」については、図１０の（ａ）に示すように、表示部２０７には、中間生成物の製造に関する情報が表示される。この場合、領域２７１には、中間生成物の製造画面が表示され、部分２７３には、反応時間が表示され、部分２７４には、製造量が表示される。また、部分２７５には、使用している反応槽へ遷移するためのリンクボタンなどが表示される。また、領域２７２には、製造に関する警報が表示される。
【００５０】
一方、役割が「品質管理」の場合の「中間生成物」については、図１０の（ｂ）に示すように、表示部２０７には、中間生成物の製造に関する情報が表示される。この場合、領域２７１には、中間生成物の品質画面が表示され、部分２７３には、品質状態が表示され、部分２７４には温度が表示され、部分２７５には、ｐＨ値が表示される。また、領域２７２には、品質に関する警報が表示される。このように、役割に対応して、異なる表示となる。
【００５１】
［実施の形態４］
次に、本発明の実施の形態４について、図１１を用いて説明する。図１１は、本発明の実施の形態４における監視制御システムの構成を示す構成図である。この監視制御システムは、ユーザ情報記憶部１０１，役割対応情報記憶部１０２，製造関連情報取得部１０３，表示部１０５，および入力部１０６を備える。これらの構成は、前述した実施の形態１と同様である。
【００５２】
実施の形態４では、上述した構成に加え、権限情報記憶部４０２，管理・監視目的権限定義記憶部４０３，アクセス制御部４０４，および表示制御部４０５を備える。
【００５３】
権限情報記憶部４０２は、製造関連情報に対するアクセス権限を、役割に関連付けて記憶している。例えば、図１２に示すように、まず、「製品Ａ製造」，「保全管理」，「品質管理」などの役割の各々に、「製造」，「品質」，「機器運転」，「保守」などの管理・監視目的が、参照分類として関連付けられている。これらの各々に、「全操作」，「部分操作」，「監視」，「無し」のいずれかが関連付けられている。例えば、役割「製品Ａ製造」の管理・監視目的が「製造」については、全ての操作が可能であることを示す「全操作」が権限として設定されている。
【００５４】
管理・監視目的権限定義記憶部４０３は、製造関連情報が受け付け可能とするアクセス権限を、管理・監視目的毎に分類して定義している。例えば、「中間生成物」，「反応槽０１」などの製造関連情報の読み出し最低権限、および変更最低権限などの受け付け可能なアクセス権限が、「製造」，「品質」，「機器運転」，「保守」などの管理・監視目的毎に定義されている。
【００５５】
アクセス制御部４０４は、入力されたユーザ情報に対応する役割に関連付けられた、権限情報記憶部４０２に記憶されているアクセス権限に基づき、表示制御部４０５の制御により表示部２０７に表示された情報へのアクセスの有効および無効を制御する。
【００５６】
ここで、表示制御部４０５は、前述した実施の形態１の表示制御部１０４と同様に、製造関連情報取得部１０３が取り出した情報を、製造関連情報取得部１０３が取り出した製造関連名称とともに表示部１０５に表示する。加えて、表示制御部４０５は、アクセス制御部４０４による有効および無効の制御に対応し、表示部１０５に表示する情報に関わるシンボルを変更する。
【００５７】
例えば、この監視制御システムに、ユーザであるＡ氏のログイン操作によりＡ氏のＩＤおよびパスワードが入力され、これら入力値が図示しない制御部の認証動作により認証されると、製造関連情報取得部１０３が前述した動作を行う。この結果、まず、表示部１０５に、Ａ氏に関連付けられた役割に関連付けられている「製品Ａ製造」における、「製造工程」の属性などの情報が表示される。
【００５８】
また、アクセス制御部４０４によるアクセスの有効および無効の制御に対応した表示制御部４０５の制御により、表示部１０５の表示において、Ａ氏に関連付けられた役割のアクセス権限で無効とされている情報については、選択操作ができない状態とされている。また、この情報の表示に関わるシンボルが、アクセス権限が有効な場合とは異なる状態とされる。
【００５９】
以上に説明したように、実施の形態４においても、ユーザ情報が入力されれば、入力されたユーザ情報に設定されている役割に対応し、製造関連名称や対応する情報を選別して表示できるようになる。また、役割に対応し、情報に対するアクセスが制御されるようになる。この結果、システム利用者は、自身に必要な情報を監視制御システムから、機密保持性が確保された状態で、容易に得ることができるようになる。
【００６０】
上述した実施の形態４の監視制御システムによれば、図１３に示すような各情報が表示部１０５に表示される。例えば、図１３の（ａ）に示すように、表示部１０５には、製品Ａ製造に関する製造工程の状態画面が表示される。この中で、領域１５１には、現在の工程が表示され、領域１５２には反応時間が表示され、領域１５３には、終了までの予想時間が表示される。また、領域１５４には、製造に用いる反応槽の予約に関する画面へ遷移するためのボタン（アイコン）が表示される。
【００６１】
ここで、図１３の（ａ）は、例えば、Ａ氏のログイン操作により表示された状態である。前述したように、Ａ氏は、役割が「製品Ａ製造」であり、「製造」に関しては「全操作」の権限があるため、領域１５４のボタン操作が可能な状態で表示がなされる。
【００６２】
一方、図１３の（ｂ）は、例えば、Ｃ氏のログイン操作により表示された状態である。前述したように、Ｃ氏は、役割が「品質管理」であり、「製造」に関しては権限が「監視」である。このため、反応槽の予約操作などの権限はなく、領域１５４のボタンは、表示が周囲より暗くなるなど、シンボルが異なる状態とされ、操作が不能な状態となる。
【００６３】
なお、本発明は以上に説明した実施の形態に限定されるものではなく、本発明の技術的思想内で、当分野において通常の知識を有する者により、多くの変形および組み合わせが実施可能であることは明白である。例えば、上述では、役割対応表示定義３０４を、役割対応情報記憶部３０２の内部に設けるようにしたが、これに限るものではなく、別のデータベースとしてもよい。
【符号の説明】
【００６４】
１０１…ユーザ情報記憶部、１０２…役割対応情報記憶部、１０３…製造関連情報取得部、１０４…表示制御部、１０５…表示部、１０６…入力部。
【図１】
2015141436.tif 000003
【図２】
2015141436.tif 000004
【図３】
2015141436.tif 000005
【図４】
2015141436.tif 000006
【図５】
2015141436.tif 000007
【図６】
2015141436.tif 000008
【図７】
2015141436.tif 000009
【図８】
2015141436.tif 000010
【図９】
2015141436.tif 000011
【図１１】
2015141436.tif 000012
【図１２】
2015141436.tif 000013
【図１０】
2015141436.tif 000014
【図１３】
2015141436.tif 000015